【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
着席可能状態と収納状態との間でその状態が変化する座席シートと、
前記座席シートを前記着席可能状態と前記収納状態との間で移動させる駆動手段と、
記録媒体に記録された記録情報とユーザが着席しているかに応じて、前記駆動手段を制御して、前記座席シートを前記着席可能状態又は前記収納状態に移動させる制御手段とを有し、
前記制御手段は、前記座席シートが着席可能状態であった時間に応じて課金をするようにしたことを特徴とする座席装置。
【請求項２】
前記記録媒体として、非接触型ＩＣカード又は携帯電話機を用いることを特徴とする請求項１記載の座席装置。
【請求項３】
前記制御手段は、前記記録媒体から前記記録媒体に記録されている記録情報を読み取る読取／書込手段と、
前記記録情報に所定の識別符号が含まれているか否かを判定して、前記識別符号が含まれていると前記駆動手段を駆動制御させる判定手段と、
前記座席シートが着席可能状態であった時間に応じた課金手段とを有することを特徴とする請求項１又は２記載の座席装置。
【請求項４】
前記判定手段は、前記座席シートが前記収納状態にある際に、前記記録情報に前記識別符号が存在すると、前記駆動手段を制御して前記座席シートを前記収納状態から前記着席可能状態に移行させ、
前記判定手段は、前記ユーザが前記座席シートに着席した後立ち上がると、前記駆動手段を制御して前記座席シートを前記着席可能状態から前記収納状態に移行させることを特徴とする請求項３記載の座席装置。
【請求項５】
前記課金手段は、前記座席シートが前記着席可能状態となっている時間をカウントしてカウント値を得て、該カウント値に応じて課金することを特徴とする請求項３又は４記載の座席装置。
【請求項６】
前記ユーザは前記座席シートを有する移動体に乗車しており、前記移動体は列車、バス、及び飛行機のいずれか１つであることを特徴とする請求項５記載の座席装置。
【請求項７】
前記記録媒体を用いて前記座席シートに着席する際には、前記移動体の着席区間、曜日、又は時間帯に応じて課金を変動させることを特徴とする請求項６記載の座席装置。
【請求項８】
前記記録媒体を用いて前記座席シートに着席する際には、前記ユーザの座席使用頻度、家族、グループ、又は乗り継ぎに応じて課金を割引くようにしたことを特徴とする請求項６記載の座席装置。
【請求項９】
前記記録媒体を用いて前記座席シートに着席する際には、前記ユーザが社会的弱者であると課金を割引くことを特徴とする請求項６記載の座席装置。
【請求項１０】
前記記録媒体を用いて前記座席シートに着席する際には、前記記録媒体を用いた買い物の内容、金額、又は買い物をした時間帯に応じて課金を割引くことを特徴とする請求項６記載の座席装置。
【請求項１１】
記録媒体を用いて前記座席シートに着席する際には、前記ユーザが予め定められた会員であると、課金を割引くことを特徴とする請求項６記載の座席装置。
【請求項１２】
さらに、表示部を備え、該表示部に前記移動体における前記座席シートの空席情報を表示させるようにしたことを特徴とする請求項６記載の座席装置。
【請求項１３】
前記座席シートの使用状況に応じて前記課金料金を変更するようにしたことを特徴とする請求項６記載の座席装置。
【請求項１４】
前記座席シートにはバイブレータが備えられ、前記課金料金が割り増しとなる際に前記バイブレータによって前記座席シートを振動させるようにしたことを特徴とする請求項６記載の座席装置。
【請求項１５】
さらに、入力部と、
前記座席シートに備えられたバイブレータを有し、
前記入力部を用いて前記ユーザは着席区間を申告し、前記入力部を用いて申告された着席区間の終点に近づいた際に前記バイブレータによって前記座席シートを振動させるようにしたことを特徴とする請求項６記載の座席装置。
【手続補正２】
【補正対象書類名】明細書
【補正対象項目名】全文
【補正方法】変更
【補正の内容】
【発明の詳細な説明】
【発明の名称】着席の割増料金を確実かつ簡易に収受できる座席装置
【技術分野】
【０００１】
本発明は、座席装置に関し、特に、記録媒体に記録された記録情報に応じて格納式座席の使用を許可する座席装置に関する。
【背景技術】
【０００２】
一般に、首都圏などを走行する列車においては、着席と立席は商品価値および生産コストともに異なるにもかかわらず、価格差がない。そのため、乗客間の不公平を招くと同時に、着席サービスの割増料金を払ってでも着席したい利用者ニーズを取りこぼし、鉄道事業者の収益の芽をつぶしている。
【０００３】
このような事態を解消するため、格納式（開閉式）座席の使用許可を受けた乗客のみが座席を使用できるようにするため、乗車券券売機などの登録機に、ＩＣカードを差込んで使用許可データを記録するか否かを選択するようにしたものがあり、ここでは、使用許可データをＩＣカードに記録する際には、登録機がＩＣカードのチャージ金額から所定の金額を差し引き、ＩＣカードに使用許可データを記録するようにしている。
【０００４】
そして、乗客は列車に乗車した際、開閉式座席のＲ／Ｗ装置にＩＣカードを接触させ、使用許可データが検出されると、開閉式座席のロック状態が解除されて着席可能となるようにしている（例えば、特許文献１参照）
【特許文献１】特開２００７−１３１２２４号公報
【発明の開示】
【発明が解決しようとする課題】
【０００５】
ところが、特許文献１に記載の座席装置を使用したい場合には、予め登録機で所定の料金を支払って、使用許可データをＩＣカードに登録する必要がある。このことは、通常のＩＣカードでは（使用許可データが書き込まれていないＩＣカード）では、座席装置を使用できないことになり、乗車した後、座席装置を使用したいと思っても、予め使用許可データをＩＣカードに記録しておかないと、座席装置を使用することはできない。
【０００６】
さらに、特許文献１に記載の座席装置においては、ＩＣカードに使用許可データが記録されているか否かによって座席装置の使用を許可しているだけであって、着席サービスの使用頻度、家族やグループによる同時使用、会員と非会員の区別などの種々のデータを考慮しておらず、また需要量に応じてきめ細かく価格を設定するといった、ＩＣカードが実現できる機能を充分に活用していない。
【０００７】
従って、本発明の目的は、ＩＣカードなどの記録媒体が実現できる機能を有効活用し、割増料金を負担しても着席したいニーズにできるだけ応え、かつ着席サービスの割増料金を簡易に収受ができる座席装置を提供することにある。
【０００８】
本発明の他の目的は、着席サービスの全体需要量や乗客の座席使用実績その他に応じてきめ細かく価格設定を行うことのできる座席装置を提供することにある。
【課題を解決するための手段】
【０００９】
（１）  本発明の座席装置は、着席可能状態と収納状態との間でその状態が変化する座席シートと、前記座席シートを前記着席可能状態と前記収納状態との間で移動させる駆動手段と、記録媒体に記録された記録情報とユーザが着席しているかに応じて、前記駆動手段を制御して、前記座席シートを前記着席可能状態又は前記収納状態に移動させる制御手段とを有し、前記制御手段は、前記座席シートが着席可能状態であった時間に応じて課金をするようにしたことを特徴とするものである。
【００１０】
（１）に記載の座席装置では、記録媒体に記録された記録情報とユーザが着席しているかに応じて、座席シートを着席可能状態又は前記収納状態に移動するようにし、さらに、座席シートが着席可能状態であった時間に応じて課金するようにしたので、ＩＣカードなどの記録媒体の利便性を損なうことなく、座席シートの使用を許可できる。さらに、割増料金を負担しても着席したいニーズにできるだけ応えつつ、着席サービスの割増料金を簡易に収受できる。
【００１１】
（２）  本発明は、（１）に記載の座席装置において、前記記録媒体として、非接触型ＩＣカード又は携帯電話機を用いることを特徴とするものである。
【００１２】
（２）に記載の座席装置では、記録媒体として、非接触型ＩＣカード又は携帯電話機を用いるようにしたので、各種のデータ（料金チャージを含める）を容易にしかも安全性を保って記録できる。
【００１３】
（３）  本発明は、（１）又は（２）に記載の座席装置において、前記制御手段は、前記記録媒体から前記記録媒体に記録されている記録情報を読み取る読取／書込手段と、前記記録情報に所定の識別符号が含まれているか否かを判定して、前記識別符号が含まれていると前記駆動手段を駆動制御させる判定手段と、前記座席シートが着席可能状態であった時間に応じた課金手段とを有することを特徴とするものである。
【００１４】
（３）に記載の座席装置では、所定の識別符号に応じて座席シートを駆動するとともに、着席可能状態であった時間に応じて課金するようにしたので、座席シートの使用に応じて課金できる。
【００１５】
（４）  本発明は、（３）に記載の座席装置において、前記判定手段は、前記座席シートが前記収納状態にある際に、前記記録情報に前記識別符号が存在すると、前記駆動手段を制御して前記座席シートを前記収納状態から前記着席可能状態に移行させ、前記判定手段は、前記ユーザが前記座席シートに着席した後立ち上がると、前記駆動手段を制御して前記座席シートを前記着席可能状態から前記収納状態に移行させることを特徴とするものである。
【００１６】
（４）に記載の座席装置では、識別符号に応じて座席シートを収納状態と着席可能状態との間で自動的に移動するようにしたので、乗客の手を煩わせることがない。
【００１７】
（５）  本発明は、（３）又は（４）に記載の座席装置において、前記課金手段は、前記座席シートが前記着席可能状態となっている時間をカウントしてカウント値を得て、該カウント値に応じて課金することを特徴とするものである。
【００１８】
（５）に記載の座席装置では、着席時間などのカウント値に応じて課金するようにしたので、移動体に最適な課金を行うことができる。
【００１９】
（６）  本発明は、（５）に記載の座席装置において、前記ユーザは前記座席シートを有する移動体に乗車しており、前記移動体は列車、バス、及び飛行機のいずれか１つであることを特徴とするものである。
【００２０】
（６）に記載の座席装置では、移動体が列車、バス、及び飛行機のいずれか１つであるので、利用者の形態に応じて適切に課金できる。
【００２１】
（７）  本発明は、（６）に記載の座席装置において、前記記録媒体を用いて前記座席シートに着席する際には、前記移動体の着席区間、曜日、又は時間帯に応じて課金を変動させることを特徴とするものである。
【００２２】
（７）に記載の座席装置では、移動体の着席区間、曜日、又は時間帯に応じて課金を変動させるようにしたので、鉄道会社の収益性が向上し、また潜在需要を喚起でき、ラッシュ時における乗客集中を分散できる。
【００２３】
（８）  本発明は、（６）に記載の座席装置において、前記記録媒体を用いて前記座席シートに着席する際には、前記ユーザの座席使用頻度、家族、グループ、又は乗り継ぎに応じて課金を割引くようにしたことを特徴とするものである。
【００２４】
（８）に記載の座席装置では、多頻度使用・家族・グループ・乗り継ぎなどの割引を行うようにしたので、家族又はグループなどで自家用乗用車を利用した場合に比べて一人当たりかかるコストが高いという割高感を解消できる。
【００２５】
（９）  本発明は、（６）に記載の座席装置において、前記記録媒体を用いて前記座席シートに着席する際には、前記ユーザが社会的弱者であると課金を割引くことを特徴とするものである。
【００２６】
（９）に記載の座席装置では、社会的弱者に対して考慮した料金体系を構築できる。
【００２７】
（１０）  本発明は、（６）に記載の座席装置において、前記記録媒体を用いて前記座席シートに着席する際には、前記記録媒体を用いた買い物の内容、金額、又は買い物をした時間帯に応じて課金を割引くことを特徴とするものである。
【００２８】
（１０）に記載の座席装置では、記録媒体を用いた買い物の内容、金額、又は買い物をした時間帯に応じて課金を割引くことようにしたので、商店などの活性化が図れ、鉄道会社の収益向上にも繋がることになる。
【００２９】
（１１）  本発明は、（６）に記載の座席装置において、前記記録媒体を用いて前記座席シートに着席する際には、前記ユーザが予め定められた会員であると、課金を割引くことを特徴とするものである。
【００３０】
（１１）に記載の座席装置では、会員に対して割引くようにしたので、当該ＩＣカードなどの記録媒体の入会者を容易に増加させることができる。
【００３１】
（１２）  本発明は、（６）に記載の座席装置において、さらに、表示部を備え、該表示部に前記移動体における前記座席シートの空席情報を表示させるようにしたことを特徴とするものである。
【００３２】
（１２）に記載の座席装置では、表示部に座席シートの空席状況を表示するようにしたので、乗客があいている座席シートを利用しようと、空いている車両に移動することになり、列車全体の混雑緩和に寄与することになる。
【００３３】
（１３）  本発明は、（６）に記載の座席装置において、前記座席シートの使用状況に応じて前記課金料金を変更するようにしたことを特徴とするものである。
【００３４】
（１３）に記載の座席装置では、座席シートの使用状況に応じて前記課金料金を変更するようにしたので、乗客は課金料金を確認して、着席するか否かを決定することができる。
【００３５】
（１４）  本発明は、（６）に記載の座席装置において、前記座席シートにはバイブレータが備えられ、前記課金料金が割り増しとなる際に前記バイブレータによって前記座席シートを振動させるようにしたことを特徴とするものである。
【００３６】
（１４）に記載の座席装置では、課金料金が割り増しとなる際にバイブレータによって座席シートを振動させるようにしたので、乗客は着席中においても課金料金が割り増しとなることを知ることができ、課金料金の割り増しによって着席を継続するか否かの判断を行うことができる。
【００３７】
（１５）  本発明は、（６）に記載の座席装置において、さらに、入力部と、前記座席シートに備えられたバイブレータを有し、前記入力部を用いて前記ユーザは着席区間を申告し、前記入力部を用いて申告された着席区間の終点に近づいた際に前記バイブレータによって前記座席シートを振動させるようにしたことを特徴とする。
【００３８】
（１５）に記載の座席装置では、乗客は、乗車区間の終点として乗車駅を申告することにより、降車駅を乗り過ごしてしまうことが殆どなくなる。
【発明の効果】
【００３９】
以上のように、本発明によれば、座席装置が着席可能状態と収納状態との間でその状態が変化する座席シートと、座席シートを着席可能状態と収納状態との間で移動させる駆動手段と、記録媒体の識別符号に応じて、駆動手段を制御して座席シートを着席可能状態又は収納状態に移動させる制御手段とを備えて、制御手段は座席シートが着席可能状態であった時間に応じて課金するようにしたので、ＩＣカードなどの記録媒体が実現できる機能を有効活用し、乗客の状態に応じて課金（ゼロも含む）して座席シートの使用を許可できるという効果がある。
【発明を実施するための最良の形態】
【００４０】
以下、本発明の実施形態による座席装置の一例について図面を参照して説明する。なお、ここでは、列車で用いられる座席装置について説明するが、この座席装置は、列車に限らず、バスなどの乗り物、そして、映画館又は劇場などの座席装置としても使用できる。
【００４１】
図１は、本発明の実施の形態による座席装置が用いられた列車を示す図であり、列車１０には、少なくとも１つの座席装置１１が配設されている。なお、図示の例では、列車１０内には通常の座席シート（以下単に座席と呼ぶ）１２も配置されている。ここでは、乗客１３は、記録媒体（図１には示さず）を用いて列車１０に乗車しているものとする。なお、この記録媒体は、例えば、乗車券機能を備えるＩＣカード（このＩＣカードは、例えば、非接触型である）である。
【００４２】
いま、乗客１３が座席装置１１に座る場合には、後述するようにして、ＩＣカードを座席装置１１に翳して座席装置１１にＩＣカードに記録されている記録情報を読み取らせる。これによって、後述するように、座席装置１１は格納式又は開閉式座席シートのロックを解除して、座席シートを収納された状態（収納状態）から着席可能状態とする。
【００４３】
図２は、座席装置１１の概観を示す斜視図であり、図示の例では、座席装置１１は複数の座席シート１１ａを有しており、座席シート１１ａの背面上部にはＩＣカード読取書込器（Ｒ／Ｗ装置）１１ｂが配設されている。
【００４４】
Ｒ／Ｗ装置１１ｂによってＩＣカード１４に記録されている記録情報を読み取らせ、記録情報中の所定の識別符号に応じて、自動的に座席シート１１ａの座面部が収納状態から着席可能状態となる。そして、乗客１３が座席シート１１ａから立ち上がると、自動的に座席シート１１ａの座面部が着席可能状態から収納状態となる。
【００４５】
図３は座席装置１１に備えられた制御・駆動装置２０の一例を示すブロック図であり、図示の制御・駆動装置２０は、判定部２１、課金部２２、メモリ２３、及び駆動部２４を備えている。
【００４６】
判定部２１はＲ／Ｗ装置１１ｂによって読み取られたＩＣカード情報の識別符号（ＩＣカード識別符号）を識別して、この識別符号に応じて、つまり、識別符号を認識すると、駆動部２４を駆動・制御して、座席シート１１ａを前述したように駆動する。メモリ２３には着席後の時間（つまり、座席シートが着席可能状態となってから収納状態となるまでの時間）に応じた課金を示す課金テーブルが格納されており、課金部２２は、座席シート１１ａが着席可能状態となると計時（カウント）を開始し、座席シート１１ａが収納状態となるとカウントを停止して、カウント値を得る。そして、課金部２２はカウント値と課金テーブルとに基づいて課金する。
【００４７】
例えば、課金部２２は列車に備えられた列車無線装置（通信装置：図示せず）を用いて、当該ＩＣカードの識別符号（ＩＤ）と前述の課金料金を、中央コンピュータ（サーバ：図示せず）に送る。このサーバでは、乗客がＩＣカードによって改札口を通過する際に、識別符号に応じて運賃とともに課金料金を徴収し、ＩＣカードに記録された残額を減額する。
【００４８】
図４はＩＣカードを用いた座席シート１１ａの使用を説明するためのフロー図である。図２、図３、及び図４を参照して、いま、乗客１３がＩＣカードを用いて改札口を通って、列車１０に乗ったとする。
【００４９】
乗客１３が座席装置１１を使用しようとする場合には（ステップＳ１）、ＩＣカード１４をＲ／Ｗ装置１１ｂに翳す（ステップＳ２）。これによって、Ｒ／Ｗ装置１１ｂはＩＣカード情報（記録情報）を読み取って、このＩＣカード情報を制御・駆動装置２０に送る（ステップＳ３）。
【００５０】
制御・駆動装置２０において、判定部２１はＩＣカード情報中の識別符号を識別する（ステップＳ４）。ＩＣカード情報中の識別符号を認識すると、判定部２１は駆動部２４を駆動・制御して、座席シート１１ａを駆動し、格納状態から着席可能状態とする（ステップＳ５）。
【００５１】
続いて、判定部２１は、座席シート１１ａを着席可能状態としたことを示す着席可能信号を課金部２２に送る。課金部２２は、着席可能信号に応答して、その内部に備えられたカウンター（タイマー：図示せず）で計時を開始する（ステップＳ６）。
【００５２】
上述のようにして、座席シート１１ａに乗客１３が着席することが可能となる。そして、乗客１３が座席シート１１ａから立ち上がると（ステップＳ７）、座席シート１１ａに設けられた図示しない荷重センサーによって検知されて、これによって、判定部２１は駆動部２４を駆動・制御して、座席シート１１ａを駆動し、座席シート１１ａを着席可能状態から格納状態とする（ステップＳ８）。
【００５３】
なお、乗客１３が座席シート１１ａから立ち上がったか否かを検知する手段として荷重センサーを挙げたが、これに限定されず、列車に設けられたＣＣＤのような撮像装置とこれにより撮影された画像を処理する画像処理装置とを用いた手段であってもよいし、他の公知技術であってもよい。さらに、乗客が立ち上がると、ばねなどの付勢手段で自動的に座席シート１１ａを格納状態とするようにしてもよい。
【００５４】
判定部２１は、座席シート１１ａを格納状態としたことを示す格納信号を課金部２２に送る。課金部２２は、格納信号に応答して、カウンターによる計時を停止し、その時のカウント値を得る（ステップＳ９）。課金部２２は料金テーブルを参照してカウント値に対応する料金を課金料金とし、この課金料金を当該ＩＣカード１４の識別符号とともに、列車１０に備えられている列車無線を介して列車１０の運行等を管理する管理者の管轄にあるサーバに送る（ステップＳ１０）。そして、サーバでは、当該乗客がＩＣカード１４を用いて改札口を通過する際、ＩＣカードの識別符号に応じて運賃とともに上述の課金料金を徴収する（ＩＣカードの残額を減額する）。
【００５５】
なお、上述の課金料金の徴収は、当該乗客が改札口を通過したときに行うとしたが、後日（例えば、月末のような特定の日付）に行うようにしてもよい。この際には、例えば、予め銀行口座を登録しておき、月末のような特定の日に銀行口座から課金料金をまとめて引き落とすようにする。
【００５６】
また、Ｒ／Ｗ装置にＩＣカードを翳して識別符号が認識されると、座席シートを自動的に着席可能状態とし、乗客が座席シート１１ａから立ち上がると、座席シートを自動的に格納状態としているので、座席シート１１ａが着席可能状態のままとなることがない。
【００５７】
加えて、着席した時間に応じて料金を、ＩＣカードから徴収するようにしたので、座席装置の使用頻度に応じた使用料金を徴収できる。この結果、乗客に応じて時間当たりの課金の基準を、数段階に分けて、段階毎に課金料金を異ならせることも可能となる。そして、例えば、社会的弱者などに対しては、使用料金をゼロとするようにしてもよい。
【００５８】
加えて、座席装置１１の使用頻度が高い乗客程、時間あたりの料金を減額する（安くする）ようにしてもよい。この場合には、制御・駆動装置２０は、座席装置１１を使用する都度、ＩＣカード１４に使用回数を書き込むようにすればよい。そして、制御・駆動装置２０（例えば、判定部２１及び課金部２２）は、この使用回数に応じて課金料金を減額することになる。この場合、メモリ２３は着席時間と使用回数毎の料金テーブルを備えるようにすればよい。
【００５９】
なお、非接触型ＩＣカードの代わりに携帯電話機を用いるようにしてもよく、さらに、識別符号として、指紋、静脈、虹彩、又は顔などのバイオメトリックス情報を用いるようにしてもよく、バイオメトリックス情報を用いるようにすれば、確実に個人認証を行うことができることになる。
【００６０】
上述の実施の形態では、課金部２２が課金料金をＩＣカード識別符号とともに、サーバに送るようにしたが、課金部２２は課金料金を算出せず、着席時間のみをＩＣカード番号とともに、サーバに送るようにしてもよい。この場合には、サーバが着席時間に応じて課金料金を算出することになる。また、サーバはＩＣカード識別符号毎に着席時間の実績を保持し、この実績に応じて課金料金を変動させるようにしてもよい。
【００６１】
さらに、上述の課金料金は、例えば、クレジットカードで銀行から引き落とすようにしてもよい。この場合には、利用者は予めクレジット番号などを登録しておく必要がある。加えて、列車遅延の際には、遅延時間に応じて、サーバは課金料金などを値引きするようにしてもよい。
【００６２】
さらに、表示部３０としてタッチパネルを用いて、列車の他の車両の空席情報を表示させるようにしてもよい。この場合には、座席シート１１ａの背面（裏面）にタッチパネルを配置し、座席シート１１ａを収納した際にタッチパネルが目視できるようにする。そして、サーバによって当該列車の座席シート使用状況を把握して、この使用状況に応じて空席情報をタッチパネルに表示するようにする。このようにすることにより、乗客が空いている座席シートを使用しようと、空いている車両に移動することになり、列車全体の混雑平準化に寄与することになる。
【００６３】
また、当該列車における座席シートの使用状況に応じて課金料金を変更するようにしてもよい。この場合には、サーバは乗車区間毎に着席サービスに係る単価を変更することになる。つまり、座席シートの使用状況が高い場合（混雑している場合には）、単価を割り増し、座席シートの使用状況が低い場合（すいている場合には）、単価を割り引くようにして、あたかも座席シートのオークションを行うようにする。そして、この単価はタッチパネルに表示され、乗客は割増料金を支払っても座りたい場合に着席することになる。
【００６４】
加えて、着席中の乗客には、単価が割り増しとなる際には、座席シートを振動させて（バイブレータによって振動させて）、単価が割り増しとなることを知らせるようにしてもよく、さらには、タッチパネルを用いて乗客が着席区間を申告するようにしてもよく、この際には、着席区間の終わりに近づくと、バイブレータで案内するようにしてもよい。このようにすることにより、乗客は、着席区間の終点として降車駅を申告することにより、降車駅を乗り過ごしてしまうことが殆どなくなる。また、乗車区間毎の割り増し料金をタッチパネルに表示するようにしてもよい。
【００６５】
なお、サーバは、駅毎に備えられる表示盤に列車毎、車両毎の空席情報を表示するようにしてもよく、このようにすれば、グループ使用・確実な座席確保・個別座席希望者向けとして、駅に設けられた端末装置又は携帯電話機などを用いて座席を予約できる（座席予約システム）。サーバは、乗客の乗車列車と着席区間（すなわち、乗車区間にほぼ相当する）が分かるので、この情報を用いて携帯電話等へのプッシュ型広告を行うようにしてもよい。
【００６６】
ＩＣカードを用いて列車に乗車する際には、着席区間、曜日、時間帯などで運賃を変動させるようにする。これによって、鉄道会社の収益性が向上し、潜在需要を喚起することができ、例えば、ラッシュ時における乗客集中を分散させることができる。そして、ラッシュ時に運賃が割高でその前後が割安となれば、企業の行動も変化するかもしれず、満員列車の緩和・解消に効果を及ぼす。
【００６７】
さらに、多頻度使用・家族・グループ・乗り継ぎなどの割引を行うようにしてもよい。ＩＣカードは家族やグループでの同時使用の状態も把握可能であるので、自動車の相乗りと比べて割高感を抱かせないように割引き、乗り継ぎについても割引き割高感を解消できる。
【００６８】
また、社会的弱者に対する公的補助のデータ管理として、上述のＩＣカードを用いるようにしてもよい。つまり、社会的弱者などに上述のＩＣカードを配布するようにしてもよい。加えて、商店などによる運賃の負担を行うようにしてもよい。例えば、所定の料金以上の買い物をすると、ＩＣカードに運賃をチャージするようにしてもよい。これによって、商店などの活性化が図れ、鉄道会社の収益向上にも繋がる。そして、会員制を用いるようにしてもよい。入会金や年会費などを支払うと、それに応じた運賃を割引くようにしてもよい。
【００６９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００７０】
【図１】本発明の実施の形態による座席装置の一例が用いられる列車を示す図である。
【図２】図１に示す座席シートの外観を示す斜視図である。
【図３】図２に示す座席装置の制御系を示すブロック図である。
【図４】許可ＩＣカードを用いた際の座席装置の動作を説明するためのフロー図である。
【符号の説明】
【００７１】
１０  列車
１１  座席装置
１１ａ，１２  座席シート
１３  乗客
１４  ＩＣカード
１１ｂ  Ｒ／Ｗ装置
２０  制御・駆動装置
２１  判定部
２２  課金部
２３  メモリ
２４  駆動部
３０  表示部